(57)【要約】      （修正有）【課題】発光ソケットを提供する。【解決手段】発光ソケットは、ソケット本体、導光構造、発光モジュール６及び給電モジュールを含む。そのうち、ソケット本体は、上蓋１１を有し、上蓋は、出光口１１３を開設する。導光構造は、ソケット本体に設置され、且つ出光口の位置に対応して配置される。発光モジュールは、ソケット本体内に設置され、且つ導光構造へ光線を投射する。給電モジュールは、発光モジュールに電気接続して給電する。これにより、面発光方式で光線をコップ又は/及び飲料ボトル底部から上向きに照明でき、それにより環境が薄暗い場所でコップ又は/及び飲料ボトルの存在感を突出させ、且つ単調でなくさせ、玄光効果を更にもたせ、均一な光線を提供してコップ又は/及び飲料ボトルの底部から上向きに照明して光染色の効果を発生させることができる。【選択図】図３
0003212108.tif 000002
【実用新案登録請求の範囲】
【請求項１】
上蓋を有し、該上蓋は、出光口を開設するソケット本体と、
該ソケット本体に設置され、且つ該出光口の位置に対応して配置される導光構造と、
該ソケット本体内に設置され、且つ該導光構造へ光線を投射する発光モジュールと、
該発光モジュールに電気接続されて給電する給電モジュールと、
を含む発光ソケット。
【請求項２】
前記上蓋の内面の該出光口の位置に対応する周縁に遮光囲い壁を設け、該遮光囲い壁は、第１欠き口を有し、該導光構造は、該出光口に対応して遮蔽し、且つ該導光構造は、該遮光囲い壁内に設置され、位置決めされ、該導光構造の周辺は、該遮光囲い壁の遮蔽を受けて光が漏れることがなく、該発光モジュールは、該第１欠き口によって該導光構造へ光線を投射する請求項１に記載の発光ソケット。
【請求項３】
前記遮光囲い壁及び該上蓋の該内面の間に第１階層を形成し、該導光構造は、該第１階層内に嵌合設置され、位置決めされる請求項２に記載の発光ソケット。
【請求項４】
更に、押圧板を含み、該遮光囲い壁は、第２階層を更に形成し、該第１階層及び該第２階層は、相互に段状に連なり、該押圧板は、該第２階層内に嵌合設置され、位置決めされ、該押圧板は、該導光構造を圧制して該第１階層内に位置決めさせる請求項３に記載の発光ソケット。
【請求項５】
前記導光構造は、導光板及び光反射シートを含み、該導光板は、入光辺、出光面及び該出光面に相対する相対面を有し、該出光面は、該出光口へ向き合い、該光反射シートは、該相対面に貼合し、該発光モジュールは、該導光板の該入光辺に対応して光線を入射させ、該出光口に対応して該出光面から出光させる請求項２に記載の発光ソケット。
【請求項６】
更に、相互に重なり合う拡散シート及びプリズムシートを含み、該導光構造は、該拡散シート及びプリズムシートを該遮光囲い壁内で積層する請求項２に記載の発光ソケット。
【請求項７】
更に、相互に重なり合う拡散シート及びプリズムシートを含み、該導光構造は、該拡散シート及びプリズムシートを該第１階層内で積層する請求項３に記載の発光ソケット。
【請求項８】
前記ソケット本体は、互いに相対し且つ何れも該出光口と対応する載置面及び内壁を有し、該導光構造は、該内壁に設置される導光パターンであり、該ソケット本体は、該導光パターン中に位置する孔体を更に設置し、該発光モジュールは、発光部を有し、該発光部は、該孔体に対応して挿入し、該発光部の光線は、該導光パターンにガイドされて該載置面から出光する請求項１に記載の発光ソケット。
【請求項９】
前記孔体は、該載置面の中間位置に対応する請求項８に記載の発光ソケット。
【請求項１０】
前記導光パターンは、印刷パターン、エッチングパターン又はシボパターンである請求項８に記載の発光ソケット。
【考案の詳細な説明】
【技術分野】
【０００１】
本考案は、載置用ソケットに関し、特に、面発光式でコップ又は飲料ボトル底部から照明できる発光ソケットに関する。
【背景技術】
【０００２】
近頃では、人々は、夜型生活が多くなっており、例えば、ナイトクラブ、ＰＵＢ等では、必ず飲料を注文し、幾つかのナイトクラブ又はＰＵＢは、パッド体を準備し、消費者に飲みの休憩の過程において、コップをパッド体上に置くことができる。
【０００３】
しかしながら、現在のパッド体は、基本的にただコップを載置させるだけであり、ナイトクラブ又はＰＵＢ等の環境が薄暗い場所では、単調であり、独自を際立たせる又は他人に注意を引くことができず、更には、ライトが薄暗くて自分のコップを見つけることができなくなり、これは、人に既に長らく批判されている。
【０００４】
従って、上記欠陥を改善する本考案を如何に設計するかは、本考案者が解決しようとする一つの大きな課題である。
【先行技術文献】
【特許文献】
【０００５】
【特許文献１】特開２００３−２１９９４８号公報
【特許文献２】特開２００６−２０９２６号公報
【考案の概要】
【考案が解決しようとする課題】
【０００６】
本考案の目的は、面発光式の設計により、コップ又は飲料ボトルの底部から照明でき、薄暗い環境でコップ又は飲料ボトルの存在感を突出させ、注意を引きつける効果を達成する、発光ソケットを提供することにある。
【課題を解決するための手段】
【０００７】
上記目的を達成するため、本考案が提供する発光ソケットは、出光口を開設した上蓋を有するソケット本体と、該ソケット本体に設置され且つ該出光口の位置に対応して配置される導光構造と、該ソケット本体内に設置され且つ該導光構造に光線を投射する発光モジュールと、該発光モジュールに電気接続して給電する給電モジュールと、を含む。
【考案の効果】
【０００８】
従来技術に比較し、本考案は以下の効果を有する。
面発光式の発光ソケットを形成でき、コップ又は飲料ボトル底部から照明でき、薄暗い環境でコップ又は飲料ボトルの存在感を突出させ、注意を引く効果を達成する。
【図面の簡単な説明】
【０００９】
【図１】本考案の第１実施例の立体分解図である。
【図２】本考案の第１実施例の立体組み合わせ図である。
【図３】本考案の第１実施例の断面図であり、発光、導光及び出光状態を示す図である。
【図４】本考案の第１実施例のもう１つの断面図であり、給電モジュールの電気接続状態を示す図である。
【図５】本考案の第１実施例のコップを載置した時の立体説明図である。
【図６】本考案の第１実施例の変形例であり、コップと飲料ボトルを載置した時の立体説明図である。
【図７】本考案の第２実施例の逆さに置いた立体分解図である。
【図８】本考案の第２実施例の正向きに置いた立体分解図である。
【図９】本考案の第２実施例の図８に基づく断面説明図である。
【考案を実施するための形態】
【００１０】
本考案が提供する発光ソケットは、コップ９００ａ又は/及び飲料ボトル９００ｂを載置することに用いられ（図５、図６参照）、図１〜図６に示すのは、第１実施例であり、図７〜図９に示すのは、第２実施例である。
【００１１】
図１〜図３に示す本考案の発光ソケット１００の第１実施例は、ソケット本体１、同構造２、発光モジュール及び給電モジュール７を含み、好ましくは、更に、押圧板３、拡散シート４、プリズムシート５及び透光板８を含む。
【００１２】
ソケット本体１の構造は、本考案では具体的構成を限定しないが、一体式構造であることができ（ソケット本体１に出光口１１３を開設する必要がある）、組み合わせ式構造であることもでき、本実施例は、組み合わせ式構造を例として説明を行う。
【００１３】
ソケット本体１は、上蓋１１、上蓋１１周縁を囲う囲い板１２及び囲い板１２の一端の開口を着脱可能に封止する底板１３を含む。上蓋１１は、出光口１１３を開設し、且つ相互に相対する内面１１１及び載置面１１２を有し（図３参照）、コップ９００ａ又は/及び飲料ボトル９００ｂを載置面１１２上に載置させることができる。
【００１４】
上蓋１１は、遮光及び位置決めに用いる構造は、本考案では具体的構成を限定しないが、本実施例においては、本段の後述を例として説明する。上蓋１１（遮光効果を有することができ、出光口１１３を利用する）の内面１１１の出光口１１３に対応する位置の周縁に遮光囲い壁１１４を設け、遮光囲い壁１１４の内縁に第２階層１１４ｂを形成し、第１、第２階層１１４ａ、１１４ｂは、相互に段状に連なる。遮光囲い壁１１４は、第１欠き口１１４ｃを有し（開設の深さは第１階層１１４ａ及び第２階層１１４ｂに及ぶ、図１参照）、好ましくは、更に第２欠き口１１４ｄを有し（開設の深さは、ただ第２階層１１４ｂに及び、第１階層１１４ａに及ばない、図１参照）、図に示す第１、第２欠き口１１４ｃ、１１４ｄは、相互に相対して好適な位置決めに有利である。上蓋１１の内面１１１は、第１欠き口１１４ａ及び第２欠き口１１４ｂの位置は、それぞれ第１位置決め部材１１５及び第２位置決め部材１１６を凸設する。
【００１５】
導光構造２は、ソケット本体１内に設置され、且つ出光口１１３の位置に対応して配置され、光線をガイドし、出光口１１３から射出させる。導光構造２は、本考案では具体的構成を限定しないが、本実施例は、出光口１１３の位置に対応して遮蔽し、且つ相互に重なり合う導光板２１及び光反射シート２２を含むことを例として説明を行い、導光板２１は、出光面２１１、出光面２１１に相対する相対面２１２及び導光板２１を囲う周辺２１４及び入光辺２１３を有し、出光面２１１は、出光口１１３に面し、光射出シート２２は、相対面２１２に貼合される。
【００１６】
導光構造２は、遮光囲い壁１１４内に設置、位置決めされ、具体的には、導光構造２は、第１階層１１４ａ内に嵌合設置されて位置決めされ、導光構造２の周辺（即ち、導光板２１の周辺２１４）に遮光囲い壁１１４の遮断を受けて光が漏れることがない。
【００１７】
発光モジュール６は、ソケット本体１内に設置され且つ導光構造２へ光線を投射する。発光モジュール６の構造は、本考案では具体的構成を限定しないが、本実施例では、本段の後述を例として説明する。発光モジュール６は、回路板６１及び回路板６１に電気的に配置される少なくとも１つの指向型発光素子６２を含み、具体的には、指向型発光素子６２は、ＬＥＤであることができ、且つ数量は２つであることができ、各指向型発光素子６２は、第１欠き口１１４ｃの導光板２１に対応する入光辺２１３を経由して光線を入射させ、出光口１１３に対応して出光面２１１から出光する。
【００１８】
発光モジュール６は、更に回路板６１に電気接続する制御スイッチ６３を含むことができ、各指向型発光素子６２のオン又はオフを制御できる。
【００１９】
給電モジュール７は、発光モジュール６に電気接続して給電する。併せて図４を参照し、給電モジュール７の構造は、本考案では具体的構成を限定しないが、本実施例では、本段後述を例として説明する。底板１３の封止面に第１導電部材１３１を設置し、上蓋１１の内面１１１は、第１導電部材１３１と対応する第２導電部材６１１を設置し、第１、第２導電部材１３１、６１１の間は、複数の電池７１を挟持位置決めして電気的に相通し、且つ第２導電部材６１１は、回路板６１に電気接続する。
【００２０】
制御スイッチ６３がオンになると、給電モジュール７が発光モジュール６に給電し、各指向型発光素子６２は、導光板２１の入光辺２１３へ光線を入射させ、導光構造２の導光によって導光板２１の出光面２１１から出光口１１３の位置に対応して出光し、本考案の面発光式の発光ソケット１００の第１実施例を確実に達成することができる。いわゆる面発光中の面は、発光ソケット１００の上面を指し、具体的には、上蓋１１の載置面１１２を指す。
【００２１】
導光構造２に良好な安定性をもたせ、偏移させず、遮光囲い壁１１４の第２階層１１４ｂに押圧板３を嵌合設置し、位置決めし、第１、第２階層１１４ａ、１１４ｂが互いに段状に連なることによって押圧版３を平坦に貼付する方式で導光モジュール２を遮光囲い壁１１４の第１階層１１４ａ内に安定して圧制し、偏移を生じさせることがない。
【００２２】
光反射シート２２の位置決め方式は、本考案では具体的構成を限定しないが、本実施例では、本段後述を例として説明する。光反射シート２２は、本体２２１及び本体２２１に突出した第１、第２凸伸アーム２２２、２２３を含み、本体２２１は、第１階層１１４ａ内に嵌合設置され、位置決めされ、第１、第２凸伸アーム２２２、２２３は、それぞれ第１、第２欠き口１１４ｃ、１１４ｄを介して遮光囲い壁１１４の外へ進出し、上蓋１１の内面１１１に着脱可能に位置決めされることができる。具体的には、第１、第２凸伸アーム２２２、２２３は、第１、第２位置決め部材１１５、１１６に対応してそれぞれ第１、第２位置決め部２２２１、２２３１を設置し、本実施例において、各位置決め部材１１５、１１６は、内面１１１に突出する凸柱であることができ、各位置決め部２２２１、２２３１は、それぞれ第１、第２凸伸アーム２２２、２２３の自由単に開設され且つ２つの凸柱に対応する２つの嵌合溝であることができ、従って、第１、第２位置決め部２２２１、２２３１は、それぞれ第１、第２位置決め部材１１５、１１６に対応して嵌合して位置決めされる。
【００２３】
押圧板３の位置決め方式は、本考案では具体的構成を限定しないが、本実施例では、本段後述を例として説明する。押圧板３は、光反射シート２２と同じ形状及び構造を有し、押圧板３を本体２２１に対応する部分は、第２階層１１４ｂ内に嵌合設置され、位置決めされ、また、押圧板３の第１、第２凸伸アーム２２２、２２３に対応する部分は、それぞれ第１、第２欠き口１１４ｃ、１１４ｄを介して遮光囲い壁１１４の外に延伸し、着脱可能に同一の方式で第１、第２位置決め部材１１５、１１６に嵌合して位置決めされることができ、このように、押圧板３は、光反射シート２２によって導光構造２を圧制し、導光構造２を第１階層１１４ａ内に安定して位置決めさせて偏移を生じさせない。
【００２４】
発光ソケット１００が導光構造２を経由して面発光式で出光する光線を強化するため、従って、互いに重なった拡散シート４及びプリズムシート５を更に含み、導光構造２は、拡散シート４及びプリズムシート５と積層して第１階層１１４ａ内に嵌合設置され、位置決めされる。
【００２５】
図５に示すように、発光ソケット１００は、透光板８を更に含むことができ、透光版８は、上蓋１１の載置面１１２に貼合され、出光口１１３を遮蔽し、囲い板１２は、これによって透光板８よりも一段高く突出した凸縁１２１を有する。凸縁１２１にコップ９００ａ又は/及び飲料ボトル９００ｂ（図６参照）から凝結して滴った水液を囲わせることができ、それにより水液が発光ソケット１００の外に流れることを回避する。いわゆる面発光中の面は、前記発光ソケット１００の上面を指し、ここでは、透光板８の外側面を指す。載置面については、ここでは、透光板８の外側面を指す。
【００２６】
図６に示すのは、本考案の発光ソケット１００の第１実施例の変形例であり、第１実施例の変形例は、大部分が第１実施例と同じであり、差異は、変形例の発光ソケット１００の形状が第１実施例と異なることにある。具体的に、変形例の発光ソケット１００は、矩形を呈し（正方形又は長方形であることができる）、以下の三種の載置方式を行うことができる。一、複数のコップ９００ａを同時に載置する。二、複数の飲料ボトル９００ｂを同時に載置する。三、少なくとも１つのコップ９００ａ及び少なくとも１つの飲料ボトル９００ｂを同時に載置する。
【００２７】
図７〜図９に示す本考案の発光ソケット１００ａの第２実施例は、ソケット本体１ａ、導光構造２ａ、発光モジュール６ａ及び給電モジュール７６を含み、好ましくは、回路板アセンブリ７ａ、スイッチ７８及び遮蔽シート１７を更に含むことができる。
【００２８】
ソケット本体１ａは、互いに被さり合う上蓋１５及び底板１６を含み、回路板アセンブリ７ａ及び発光モジュール６ａは、上蓋１５及び底板１６の間に収容される。
【００２９】
上蓋１５は、出光口１５５を開設し（図７参照）且つ出光口１５５に対応する殻板１５０を有し（図９参照）、殻板１５０は、相互に対応する載置面１５１及び内壁１５２を有する。内壁１５２は、導光パターン２５であることができる導光構造２ａを設け、導光パターン２５及び載置面１５１を相互に間隔をおいて相対させる。殻板１５０は、その内壁１５２は、載置面１５１の方向に孔体１５４を開設する。導光パターン２５は、印刷パターン、エッチングパターン、シボパターンであることができ、内壁１５２に形成される。底板１６外周縁は、接触部１６１を更に設置することができる。
【００３０】
回路板アセンブリ７ａは、ソケット本体１内に設置され、且つ回路板本体７５、底板７７及び回路板本体７５に電気接続する給電モジュール７６を含む。給電モジュール７６は、複数の電池７６１及び電池位置決め用の複数の位置決め構造を含む。底板７７は、ソケット本体１ａ内に設置され、回路板本体７５及び給電モジュール７６は、何れも底板７７の背面７７２に配置される。
【００３１】
発光モジュール６ａ（発光部材であることができる）は、回路板本体７５に電気接続し、且つ発光することに用いられる発光部６５を有する。発光部６５は、底板７７の正面７７１に貫通して露出され、孔体１５４内に挿入されて３６０度の発光を行う。スイッチ７８は、タッチ制御式スイッチ銅シートであることができ、その対応する接触部１６１は、ソケット本体１ａに設置され、且つ回路板本体１に電気接続され、回路板アセンブリ７ａを介して発光モジュール６ａの発光又は発光停止を制御する。
【００３２】
タッチ接触部１６１によってスイッチ７８を触発し、発光モジュール６ａを給電モジュール７６と導通させて発光させ、光線を殻板１５０内において孔体１５４から周囲へ散乱させ、散乱過程で導光パターン２５のガイドによって載置面１５１から出光し、且つ拡散式の出光であり、従って、均光の効果を有する。図９に示すように、載置面１１１上に更に吸水シート、滑り止めパッド又はスパンコール等の遮蔽片１７を増設することができ、美観がなく（例えば、上蓋１５及び底板１６の間に螺合される螺合部材）、出光が不均等な部分（載置面１５１の近傍周囲）を遮蔽することができる。
【００３３】
上記を総合し、本考案は、従来技術に比較し、以下の効果を有する。特殊設計の導光構造２、２ａによって面発光の方式で出光口１１３、１５５に対応して出光させることができ、光線をコップ９００ａ又は/及び飲料ボトル９００ｂの底部から上向きに照明させ、環境が薄暗い場所でコップ９００ａ又は/及び飲料ボトル９００ｂの存在感を突出させ、且つ単調でなくさせ、玄光によって他人の注意を引く効果を達成し、目立たせて自己を表現させる。また、均一な光線を更に提供し、コップ９００ａ又は/及び飲料ボトル９００ｂの底部から上向きに照明させて光染色効果を発生させることができる。
【００３４】
また、本考案は、第１実施例及びその変形例のその他の効果は以下である。一、押圧板３によって、導光構造２を第１階層１１４ａ内に安定して圧制して位置決めして偏移させることがない。二、押圧板３の形状及び構造は、光反射シート２２と同じであり、光反射シート２２をその第１、第２凸伸アーム２２２、２２３を利用して第１、第２位置決め部材１１５、１１６に対応して嵌合して位置決め、押圧板３は、部材符号を標示していない第１、第２凸伸アームを使用して第１、第２位置決め部材１１５、１１６を対応して嵌合して位置決めし、光反射シート２２及び押圧板３に何れも上蓋１１の内面１１１に安定して位置決めさせることができ、更に有効に導光構造２を第１階層１１４ａ内に安定して位置決めさせ、導光構造２を導光に影響を及ぼす如何なる偏移も生じさせない。三、遮光囲い壁１１４が導光構造２の周辺を囲い遮蔽することによって、第１欠き口１１４ｃを利用するだけで発光モジュール６に光線を入光辺２１３へ照射させ、このように、良好な遮光効果を達成して光漏れを減少する。四、囲い板１２の凸縁１２１によって、コップ９００ａ又は/及び飲料ボトル９００ｂから凝結し、滴る水液を囲って遮蔽し、それにより水液が発光ソケット１００の外に流れることを回避する。
【００３５】
また、本考案の第２実施例のその他の効果は、以下のようなものである。
一、ソケット本体１ａに導光パターン２５であることができる導光構造２ａを設け、且つ発光モジュール６ａの発光部６５は、導光パターン２５中の位置に対応して挿入され、ソケット本体１ａを光ガイド及び光拡散作用を同時に兼ね備えて光ガイド構造を簡易化することができ、更に、均光効果をもたせる。
二、光ガイド構造の簡易化又は/及びスイッチ構造の簡易化によって、組み立てが容易であり、コスト低減の効果を更に有する。
【符号の説明】
【００３６】
１００、１００ａ  発光ソケット
１、１ａ  ソケット本体
１１  上蓋
１１１  内面
１１２  載置面
１１３  出光口
１１４  遮光囲い壁
１１４ａ  第１階層
１１４ｂ  第２階層
１１４ｃ  第１欠き口
１１４ｄ  第２欠き口
１１５  第１位置決め部材
１１６  第２一意決め部材
１２  囲い板
１２１  凸縁
１３  底板
１３１  第１導電部材
１５  上蓋
１５０  殻板
１５１  載置面
１５２  内壁
１５４  孔体
１５５  出光口
１６  底板
１６１  接触部
１７  遮蔽シート
２、２ａ  導光構造
２１  導光板
２１１  出光面
２１２  相対面
２１３  入光辺
２１４  周辺
２２  光反射シート
２２１  本体
２２２  第１凸伸アーム
２２２１  第１位置決め部
２２３  第２凸伸アーム
２２３１  第２位置決め部
２５  導光パターン
３  押圧板
４  拡散シート
５  プリズムシート
６  発光モジュール
６１  回路板
６１１  第２導電部材
６２  指向型発光素子
６３  制御スイッチ
６ａ  発光モジュール
６５  発光部
７  給電モジュール
７１  電池
７ａ  回路板部材
７５  回路板本体
７６  給電モジュール
７６１  電池
７７  ソケット板
７７１  正面
７７２  背面
７８  スイッチ
８  透光板
９００ａ  コップ
９００ｂ  飲料ボトル
【図１】
0003212108.tif 000003
【図２】
0003212108.tif 000004
【図３】
0003212108.tif 000005
【図４】
0003212108.tif 000006
【図５】
0003212108.tif 000007
【図６】
0003212108.tif 000008
【図７】
0003212108.tif 000009
【図８】
0003212108.tif 000010
【図９】
0003212108.tif 000011